(57)【要約】【課題】少なくとも警報時には、フェンス等の頂部分を覆うセンサー笠木の一部を発光させることで、どの住居から警報音を発しているのかが分かりやすくなる防犯センサーを提供する。【解決手段】フェンス２０の頂部分を覆うカバー部材（センサー笠木）５が設けられ、このカバー部材５の内部に発光体（光ファイバー）３１が設けられ、この発光体３１は、少なくとも警報時には、カバー部材５の透光部分を透して外部に発光するようにした。これにより、どの住居から警報音を発しているのかが分かりやすくなる。【選択図】図５
2008176470.tif 000002
【特許請求の範囲】
【請求項１】
フェンス、バルコニーの腰壁、塀等の頂部分を覆うカバー部材が設けられ、このカバー部材の内部に発光体が設けられ、この発光体は、少なくとも警報時には、カバー部材の透光部分を透して外部に発光するようにしたことを特徴とする防犯センサー。
【請求項２】
前記カバー部材は、フェンス等に沿って延在されて、前記発光体は、カバー部材に沿ってライン状に発光するものであることを特徴とする請求項１に記載の防犯センサー。
【請求項３】
前記防犯センサーは、近接した複数の戸建て住宅のフェンス等にそれぞれ取付けられていることを特徴とする請求項２に記載の防犯センサー。
【請求項４】
前記発光体は、警戒時と警報時とで発光色が変わるように設定されていることを特徴とする請求項１に記載の防犯センサー。
【請求項５】
前記発光体は、カバー部材の透光部分に沿って延在する導光部材と、この導光部材の両端部にそれぞれ設けられた、発光色の異なるＬＥＤとで構成されて、警戒時に一端部のＬＥＤを発光させ、警報時に他端部のＬＥＤを発光させるものであることを特徴とする請求項４に記載の防犯センサー。
【請求項６】
前記導光部材は、反射性のホルダーに前方から嵌め込んで保持されていることを特徴とする請求項５に記載の防犯センサー。
【発明の詳細な説明】
【技術分野】
【０００１】
本発明は、バルコニーの腰壁、フェンス、塀等の頂部分に設ける防犯センサーに関する。
【背景技術】
【０００２】
従来、フェンス等の頂部分を乗り越えて不審者が侵入するのを防止する防犯センサーが知られている。これらは、主に赤外線センサー、超音波センサー、静電容量検知センサー、磁気センサーを用いて不審者の侵入を検知するもの、あるいはカメラ等の撮像的監視モニターで監視して侵入を検知するものである（例えば特許文献１，２を参照）。
【０００３】
このような防犯センサーにおいては、猫や鳥等の小動物が侵入しても不審者が侵入した場合とほぼ同様に検知して、不審者が侵入していないにもかかわらず不審者が侵入したと誤検知することが多く、検知精度を上げようとすると、構造が複雑化し部品点数が増加してコスト高になる。また、カメラ等を設ける場合には、フェンス等に対する収まりが悪くて一体感が無く、外観性を損ねる。
【０００４】
そこで、本出願人は、フェンス等の頂部分に設けられた圧力センサーを覆うセンサー笠木を設けて、このセンサー笠木に手等を掛けて乗り越えようとする不審者の荷重（体重）によって、センサー笠木が押し下げられたときに、圧力センサーを押圧するようになった防犯センサーを先に提案した。
【０００５】
これによれば、防犯センサーとして赤外線センサー等を用いた場合のように、猫や鳥等の軽量な小動物の侵入を不審者の侵入と誤検知することが未然に防止できるとともに、構造が簡単化し部品点数が減少してコスト安になり、また、フェンス等の頂部分に設ける手摺りとの収まりが良くなって一体感が有り、外観性が向上するようになる。
【特許文献１】特開２００１−１５３９６４号公報
【特許文献２】特開２００２−１５３８０号公報
【発明の開示】
【発明が解決しようとする課題】
【０００６】
しかしながら、従来の防犯センサーにおいて、不審者が侵入したと検知したきには、フェンス等の近傍に取付けた報知ユニットボックスから警報音を発するだけであったから、どの住居から警報音を発しているのかが分かりにくいという問題があった。
【０００７】
本発明は、前記問題を解消するためになされたもので、少なくとも警報時には、フェンス等の頂部分を覆うカバー部材（センサー笠木等）の一部を発光させることで、どの住居から警報音を発しているのかが分かりやすくなる防犯センサーを提供することを目的とするものである。
【課題を解決するための手段】
【０００８】
前記課題を解決するために、本発明は、フェンス、バルコニーの腰壁、塀等の頂部分を覆うカバー部材が設けられ、このカバー部材の内部に発光体が設けられ、この発光体は、少なくとも警報時には、カバー部材の透光部分を透して外部に発光するようにしたことを特徴とする防犯センサーを提供するものである。
【０００９】
請求項２のように、前記カバー部材は、フェンス等に沿って延在されて、前記発光体は、カバー部材に沿ってライン状に発光するものであることが好ましい。
【００１０】
請求項３のように、前記防犯センサーは、近接した複数の戸建て住宅のフェンス等にそれぞれ取付けられていることが好ましい。
【００１１】
請求項４のように、前記発光体は、警戒時と警報時とで発光色が変わるように設定されていることが好ましい。
【００１２】
請求項５のように、前記発光体は、カバー部材の透光部分に沿って延在する導光部材と、この導光部材の両端部にそれぞれ設けられた、発光色の異なるＬＥＤとで構成されて、警戒時に一端部のＬＥＤを発光させ、警報時に他端部のＬＥＤを発光させるものであることが好ましい。
【００１３】
請求項６のように、前記導光部材は、反射性のホルダーに前方から嵌め込んで保持されていることが好ましい。
【発明の効果】
【００１４】
本発明によれば、赤外線センサー等のセンシングで不審者が侵入したと検知した警報時には、報知ユニットボックス等から警報音を発すると同時に、カバー部材の内部の発光体で、カバー部材の透光部分を透して外部に発光することにより、どの住居から警報音を発しているのかが分かりやすくなる。
【００１５】
請求項２によれば、カバー部材に沿ってライン状に発光することで、どの住居から警報音を発しているのかがより分かりやすくなる。
【００１６】
請求項３によれば、近接した複数の戸建て住宅のフェンス等のカバー部材に沿ってライン状に発光することで、夜間の警戒時に例えば青の発光色とすれば、そのラインが街路灯の役割を果たすようになるとともに、これらの戸建て住宅に防犯センサーが設置されていることを知らしめることができるので、不審者の接近を未然に防止できるようになる。
【００１７】
請求項４によれば、警戒時は、例えば青の発光色の点灯とし、警報時は、例えば赤の発光色の点滅とすれば、警戒時と警報時とがより分かりやすくなる。
【００１８】
請求項５によれば、導光部材（光ファイバーや合成樹脂製ライトガイド等）と２色のＬＥＤとで発光体を構成できるので、施工が簡単でコスト安になる。
【００１９】
請求項６によれば、導光部材を反射性のホルダーに前方から嵌め込んで保持しているから、導光部材の発光が前方のみに集約されて指向性が生じるので、より明るく発光するようになる。
【発明を実施するための最良の形態】
【００２０】
以下、本発明を実施するための最良の形態について、図面を参照しながら詳細に説明する。
【００２１】
図１（ａ）は、近接した複数の戸建て住宅の斜視図、同（ｂ）はその略画的平面図であり、例えば６戸の戸建て住宅Ａ〜Ｆが近接している。各戸建て住宅Ａ〜Ｆは、それぞれがフェンス〔図１（ｂ）の破線参照〕２０で四角状に囲まれていて、矢印のように、例えば公道部分４０から私道部分４１に入れるようになっている。
【００２２】
フェンス２０は、図２（ａ）〜（ｃ）に示すように、地面４２に所定の間隔で立設された隣り合う支柱２１に跨って上側の横桟２２と下側の横桟２３とが固定されるとともに、上下の横桟２２，２３に跨って多数本の縦桟２４が狭い間隔で格子状に固定されたものである。なお、フェンス２０は、全体が一定の高さである必要はなく、部分的に高くしたり、低くしたりすることができ、門扉を付けることもできる。フェンス２０は、例えばアルミニューム製である。
【００２３】
図３〜図６に示すように、フェンス２０の頂部分である上側の横桟２２（マンション等のバルコニーの腰壁であれば、手摺りに相当する。）は、略逆Ｕ形の断面形状に形成されていて、支柱２１の上端部にねじで固定された型材２５の溝部２５ａに下端突部２２ａを嵌め込むことで、支柱２１の上端部に固定されるようになる。
【００２４】
この横桟２２には、横桟２２に沿って延在するセンサー笠木（カバー部材）５が上方から被せられている。センサー笠木５は、例えばアルミニューム製の押し出し型材であり、略逆Ｕ形の断面形状に形成されている。
【００２５】
横桟２２の上部には、横桟２２よりもやや広い幅で長手方向に延在するベース材６が配置され、ベース材６は、幅方向の中央下面部分が横桟２２の上面に宛われて、ねじ２６で横桟２２に固定されるようになる。ベース材６は、例えばアルミニューム製の押し出し型材である。
【００２６】
ベース材６の幅方向の中央上面部分には、長手方向に延在する凹部６ａが形成されるとともに、その両側には、長手方向に延在するフラット部６ｂがそれぞれ形成されている。凹部６ａには、ベース材６の長手方向に沿ってゴムやエラストマーのような軟質合成樹脂製のセンサー保持具７の下部が嵌め込まれ、このセンサー保持具７の両側の窪み７ａに凹部６ａの両側のフック６ｃが係合することで、センサー保持具７が凹部６ａに固定されるようになる。
【００２７】
センサー保持具７の上部には、ケーブル状の圧力センサー８を上方から嵌め込んだときに、その弾力で保持するための凹部７ｂが形成され、圧力センサー８は、ベース材６の長手方向に配置されたセンサー保持具７に跨って、一連に嵌め込まれている。
【００２８】
圧力センサー８は、表面に押圧力（荷重）が作用したときに、その部分が歪むことで、押圧力（荷重）に比例した電圧が誘起されるものである。
【００２９】
センサー保持具７で保持された圧力センサー８を押圧するセンサー押圧材９は、ゴムやエラストマーのような弾性体で成形されて、図６（ａ）〜（ｃ）に詳細に示すように、圧力センサー８に上方から対向する押圧基部９ａと、ベース材６のフラット部６ｂにねじ１８で固定される固定部９ｂと、この固定部９ｂと押圧基部９ａとを連結する可撓性の連結部９ｃとで形成されて、押圧基部９ａの押圧面には、圧力センサー８と直交する方向に延在する断面半円状の押圧突起９ｄが圧力センサー８の長手方向に一対形成されている。
【００３０】
このセンサー押圧材９は、図６（ｄ）のように、連結部９ｃを撓ませながら押圧基部９ａを指で持ち上げると、押圧基部９ａをセンサー保持具７の上方から退避させることができ（二点鎖線参照）、この状態で圧力センサー８をセンサー保持具７に嵌め込み、その後に押圧基部９ａから指を離すと、連結部９ｃの弾力で押圧基部９ａが圧力センサー８の上方に自動的に復帰するようになる。
【００３１】
連結部９ｃの弾力は、押圧基部９ａが圧力センサー８の上方に自動的に復帰する程度に設定されているので、押圧突起９ｄが圧力センサー８に接触してもその部分が歪んで電圧が誘起されるおそれはない。
【００３２】
ベース材６の両側のフラット部６ｂには、ベース材６の長手方向に所定の間隔を隔てて、センサー笠木５の長手方向に延在する板ばね材１１が取付けられている。この板ばね材１１は、両側のフラット部６ｂに左右一対で取付けても良いが、センサー押圧材９の取付け位置にほぼ対応させて、左右交互に千鳥状に、つまり、圧力センサー８に対していずれかの側にオフセットさせて取付けても良い。板ばね材１１は、フラットな両端部１１ａにねじ用孔が形成されて、このねじ用孔を利用して、ベース材６にねじ１７〔図６（ａ）参照〕で取付けるようにしている。
【００３３】
また、センサー笠木５の下面に当接する凸部１１ｃが長手方向の中間部に形成され、この凸部１１ｃの両側に凹部１１ｄがそれぞれ形成されて、この凹部１１ｄは、センサー笠木５の押し下げストローク分だけ、板ばね材１１のベース材６の上面（取付け面）よりも上方に浮かせている。さらに、両端部１１ａには、立ち上がり部１１ｅが形成されている。
【００３４】
この板ばね材１１の付勢力によって、センサー笠木５が上方に持ち上げられるようになり、センサー笠木５が板ばね材１１の持ち上げ力（付勢力）に抗して、荷重で押し下げられたときに、センサー押圧材９の押圧基部９ａが下方に変位して圧力センサー８を押圧するようになる。
【００３５】
ベース材６の両端部には、下向きの係止爪６ｄが形成される一方、センサー笠木５の内面の両側には、ベース材６の係止爪６ｄに上方から無理嵌めするとともに、センサー笠木５の押し下げストロークを許容する係止溝５ａが形成されている。これにより、センサー笠木５は、ベース材６に対して、押し下げ・持ち上げ可能に取付けられることになる。
【００３６】
図３のように、フェンス２０の端部分に位置するベース材６には、圧力センサー８の端部が接続される検知回路ブロック１３が取付けられるとともに、この付近の建物の壁面には、商用電源ＡＣが接続された報知ユニットボックス１４が取付けられて、検知回路ブロック１３の信号線１５が報知ユニットボックス１４に接続されている。
【００３７】
そして、センサー笠木５に手等を掛けて乗り越えようとする不審者の荷重（体重）によって、センサー笠木５が板ばね材１１の持ち上げ力（付勢力）に抗して押し下げられたときに、センサー押圧材９で圧力センサー８が押圧されることで、圧力センサー８には、押圧力（荷重）に比例した電圧が誘起され、この誘起電圧が検知回路ブロック１３で検知されて、例えば２０Ｋｇ以上の荷重（体重）であれば不審者が侵入したと判定して、報知ユニットボックス１４から警報音等を報知するようになる。
【００３８】
また、猫や鳥等の軽量な小動物がセンサー笠木５に乗りかかって、センサー笠木５が板ばね材１１の持ち上げ力（付勢力）に抗して押し下げられたとしても、圧力センサー８の誘起電圧が検知回路ブロック１３で検知されて、例えば数１０ｇから数Ｋｇの荷重（体重）であれば不審者が侵入していないと判定して、報知ユニットボックス１４から警報音等を報知しないようになる。
【００３９】
このように、防犯センサーとして赤外線センサー等を用いた場合のように、猫や鳥等の軽量な小動物の侵入を不審者の侵入と誤検知することが未然に防止できるとともに、構造が簡単化し部品点数が減少してコスト安になり、また、バルコニーの腰壁１等の頂部分に設ける手摺り２との収まりが良くなって一体感が有り、外観性が向上するようになる。
【００４０】
一方、図５に示すように、センサー笠木５の公道若しくは私道部分４０，４１側の立ち下がり部５ｂの下端部は、反対側の立ち下がり部５ｃの下端部よりも短く形成されて、この立ち下がり部５ｂの内面側には、センサー笠木５の長手方向に延在する下向き係合溝５ｄが形成されている。
【００４１】
この係合溝５ｄには、透明合成樹脂製の拡散用表面カバー（透光部分）３０の上向き係合突起３０ａがセンサー笠木５の長手方向から嵌め込まれて、この表面カバー３０により、立ち下がり部５ｂと立ち下がり部５ｃとの上下高さが揃うようになっている。この表面カバー３０は、図８（ａ）にハッチングで示すように、センサー笠木５の長手方向に延在するようになる。
【００４２】
表面カバー３０が対向する上側の横桟２２の前面には、センサー笠木５の長手方向に延在するラインライティング用光ファイバー（導光部材）３１を前方から嵌め込んで保持するファイバーホルダー３２が固定されている。このファイバーホルダー３２は、ゴムやエラストマーのような軟質合成樹脂製であり、反射性としている。なお、光ファイバー３１に代えて、透明合成樹脂製のライトガイド等であっても良い。
【００４３】
図７および図８（ｂ）に示すように、光ファイバー３１の両端部側に位置する型材２５の上面には、発光色の異なるＬＥＤ（発光体）３３Ｂ，３３Ｒを収納したＬＥＤボックス３４がそれぞれねじ３５で固定されている。
【００４４】
そして、光ファイバー３１の両端部は、各ＬＥＤボックス３４の前面穴３４ａから内部に差し込まれて、発光色の異なるＬＥＤ（発光体）３３Ｂ，３３Ｒにそれぞれ対向されている。ＬＥＤ３３Ｂは、例えば青色であり、ＬＥＤ３３Ｒは、例えば赤色であり、各ＬＥＤ３３Ｂ，３３Ｒは、信号線（不図示）で前記報知ユニットボックス１４に接続されて、警戒時には青色のＬＥＤ３３Ｂを発光させ、警報時には赤色のＬＥＤ３３Ｒを発光させるようになっている。
【００４５】
前記のような防犯センサーであれば、フェンス２０のセンサー笠木５が押し下げられて圧力センサー８を押圧することで、不審者が侵入したと検知した警報時には、報知ユニットボックス１４から警報音を発すると同時に、一方のＬＥＤボックス３４の赤色のＬＥＤ３３Ｒを点灯若しくは点滅させることで、光ファイバー３１からセンサー笠木５の表面カバー３０を透して外部に発光することにより、どの住居から警報音を発しているのかが分かりやすくなる。
【００４６】
また、不審者の侵入を検知しない警戒時には、他方のＬＥＤボックス３４の青色のＬＥＤ３３Ｂを点灯させることで、警戒時と警報時とがより分かりやすくなる。
【００４７】
さらに、図１に示したように、防犯センサーを近接した複数の戸建て住宅のフェンス２０にそれぞれ取付けて、少なくとも警報時には、警報を発した戸建て住宅の光ファイバー３１と、その近辺の戸建て住宅の光ファイバー３１とが同時に発光するように設定することができる。例えば、警報を発した戸建て住宅をＢとすれば、図１（ｂ）の符号ｃ−ｄの範囲のフェンス２０の光ファイバー３１が発光するだけであるが、同時に、例えばその近辺の戸建て住宅ＡとＣにおける符号ｂ−ｃ、ｄ−ｅの範囲のフェンス２０の光ファイバー３１も発光させれば、近隣エリアにも警戒を促せるようになる。また、いわゆる向こう三軒両隣りの範囲のフェンス２０の光ファイバー３１を発光させれば、より効果的である。なお、符号ａ〜ｉの範囲のフェンス２０の光ファイバー３１を全て発光させることも可能である。
【００４８】
また、防犯センサーを近接した複数の戸建て住宅のフェンス２０にそれぞれ取付ければ、フェンス２０のセンサー笠木５に沿って光ファイバー３１がライン状に発光することで、夜間の警戒時に青の発光色とすれば、そのラインが街路灯の役割を果たすようになるとともに、これらの戸建て住宅に防犯センサーが設置されていることを知らしめることができるので、不審者の接近を未然に防止できるようになる。なお、昼・夜間の警戒時に青色の発光色で点滅させれば、戸建て住宅に防犯センサーが設置されていることをより明確に知らしめることができる。
【００４９】
さらに、センサー笠木５はフェンス２０に沿って延在されて、光ファイバー３１は、センサー笠木５に沿ってライン状に発光することで、どの住居から警報音を発しているのかがより分かりやすくなる。
【００５０】
また、発光体として、センサー笠木５の表面カバー３０に沿って延在する光ファイバー３１と、この光ファイバー３１に両端部にそれぞれ設けられた、発光色の異なるＬＥＤ３３Ｂ，３３Ｒとで構成して、警戒時に赤色のＬＥＤ３３Ｒを発光させ、警報時に青色のＬＥＤ３３Ｂを発光させることで、光ファイバー３１と２色のＬＥＤ３３Ｂ，３３Ｒとで発光体を構成できるので、施工が簡単でコスト安になる。
【００５１】
さらに、光ファイバー３１を反射性のホルダー３２に前方から嵌め込んで保持しているから、光ファイバー３１の発光が前方のみに集約されて指向性が生じるので、より明るく発光するようになる。
【００５２】
前記実施形態では、センサー笠木５が荷重で押し下げられたときに、圧力センサー８を押圧することで、センシングを行っていたが、赤外線センサー等のセンシングで不審者が侵入したと検知する構造であっても良い。
【００５３】
前記実施形態では、発光体として光ファイバー３１を用いたが、バー状のネオンであっても良く、また、着色した蛍光灯や豆電球を並べて鎖線状や点線状に発光させても良い。
【００５４】
前記実施形態では、センサー笠木５に表面カバー３０を設けたが、表面カバー３０を設けないで、光ファイバー３１を反射性のホルダー３２に下方から嵌め込んで保持するようにし、光ファイバー３１からセンサー笠木５と横桟２２との間の隙間から下向きで外部に発光するように構成することもできる。
【００５５】
前記実施形態は、フェンス２０の頂部分にセンサー笠木５が設けられたものであったが、バルコニーの腰壁や塀等の頂部分にセンサー笠木５が設けられたものであっても良い。
【図面の簡単な説明】
【００５６】
【図１】本発明の実施形態に係るフェンスを備えた複数の戸建て住宅であり、（ａ）は斜視図、（ｂ）はその略画的平面図である。
【図２】フェンスであり、（ａ）は平面図、（ｂ）は正面図、（ｃ）は側面図である。
【図３】フェンスの要部斜視図である。
【図４】センサー笠木を取り外したフェンスであり、（ａ）は斜視図、（ｂ）は（ａ）の要部拡大斜視図である。
【図５】フェンスの要部拡大断面図である。
【図６】（ａ）は板ばね材とセンサー押圧材の斜視図、（ｂ）はセンサー押圧材を上面側から見た斜視図、（ｃ）はセンサー押圧材を下面側から見た斜視図、（ｄ）はセンサー押圧材の側面図である。
【図７】（ａ）はフェンスの横桟の要部斜視図、（ｂ）はＬＥＤボックスの分解斜視図である。
【図８】（ａ）はフェンスの要部正面図、（ｂ）は光ファイバーとＬＥＤボックスとの関係を示す略画的平面図である。
【符号の説明】
【００５７】
５      センサー笠木（カバー部材）
６      ベース材
８      圧力センサー
２０    フェンス
２２    上側の横桟
３０    拡散用表面カバー
３１    光ファイバー（導光部材）
３２    ファイバーホルダー
３３Ｂ，３３Ｒ  ＬＥＤ
３４    ＬＥＤボックス
【図１】
2008176470.tif 000003
【図２】
2008176470.tif 000004
【図３】
2008176470.tif 000005
【図４】
2008176470.tif 000006
【図５】
2008176470.tif 000007
【図６】
2008176470.tif 000008
【図７】
2008176470.tif 000009
【図８】
2008176470.tif 000010